(57)【要約】      （修正有）【課題】色差信号まで対応したＡＤ変換回路が発生するクロックに同期した妨害を低減する。【解決手段】ＡＤ変換器２１・ＡＤ変換器２２・ＡＤ変換器２３およびコントロール部２４でＡＤ変換回路を構成しＡＤ変換器２１・ＡＤ変換器２２・ＡＤ変換器２３をそれぞれコントロール部２４により個別に動作させたり動作を止めたりすることにより信号の種類によって不必要なＡＤ変換器の動作を停止してＡＤ変換回路で発生するＡＤクロックの妨害を発生源から減らす。【選択図】図１
2005210250.tif 000002
【特許請求の範囲】
【請求項１】
映像信号が入力されるとともに同期したサンプリングクロックを入力される複数のＡＤ変換器と、前記ＡＤ変換器の動作を制御する信号を前記AD変換きに出力するコントロール部とを備え、前記コントロール部は前記映像信号の種類により前記ＡＤ変換器の動作を個別に止めること特徴とするＡＤ変換回路。
【請求項２】
サンプリングクロックが同期した複数のＡＤ変換器と、それらを動作させたり止めたりすることができるマイコン部により構成され、ＡＤ変換する映像信号の種類をユーザー操作によりマイコンが判断し、前記マイコンが前記ＡＤ変換器の動作を個別に止めることを特徴とするＡＤ変換回路。
【請求項３】
サンプリングクロックが同期した複数のＡＤ変換器と、前記ＡＤ変換器からのＡＤ変換データにより映像信号の種類を判断し、または前記ＡＤ変換器の動作を制御する信号判別およびコントロール部とを備え、ＡＤ変換する映像信号の種類をＡＤ変換したデータにより信号判別およびコントロール部が判断し、前記信号判別およびコントロール部が前記ＡＤ変換器の動作を個別に制御することを特徴とするＡＤ変換回路。
【発明の詳細な説明】
【技術分野】
【０００１】
本発明は映像信号のＡＤ変換を行う機器のＡＤ変換回路に関するものである。
特に本発明はアナログ地上波放送を受信するテレビジョン受像機や受信アダプター等のアナログ地上波を受信してその映像信号をＡＤ変換して処理を行う映像機器におけるＡＤ変換回路が発生する妨害が、アナログ地上波のＲＦ信号に混入することによりおこる受信映像の斜めビート等の妨害を減少させる装置に関するものである。
【背景技術】
【０００２】
テレビジョン受像機などの映像機器では近年、信号のデジタル処理化に伴い発生するデジタル信号ノイズによる妨害がしばしば問題になっている。特にＲＦ信号は微弱な受信波形を数十ｄＢもアンプして検波するのでデジタル信号の高調波による妨害の影響を受けやすい。例えばＮＴＳＣコンポジット信号のデジタル信号処理に用いられるクロックは色検波のために色信号に同期して、なおかつ１Ｈ毎や１フィールド毎に反転していると扱い易いためＮＴＳＣの色信号搬送波周波数３．５７９５４５ＭＨｚの偶数倍の周波数がよく用いられる。従ってＲＦでは映像搬送波周波数が３．５７９５４５ＭＨｚの偶数倍のさらに数倍した高調波に近い場合斜めビートの妨害が発生することがよくある。代表的なものによく使用されるＶＨＦ４ｃｈの映像搬送波１７１．２５ＭＨｚに対して３．５８ＭＨｚ×４×１２≒１７１．８ＭＨｚの妨害が画面上で約５５０ｋＨｚのビートになって現れるものがある。
【０００３】
妨害発生源についてはその機器の構成によって様々であるがＡＤ変換回路は代表的な発生源である。理由はＡＤ変換器ではｎビットＡＤ変換ならば２のｎ乗−１個の大量の比較器がサンプリングクロックで動作しているためクロックに同期した大きな電力が消費されるからである。さらに、近年は色差入力も扱う機器も増えているのでＹ／Ｐｂ／Ｐｒの信号をそれぞれＡＤするために同じクロックで動作するＡＤ変換器を３つ備えたＩＣやＡＤ変換回路がよく使用されており、それに伴いＡＤ変換回路で発生する妨害のレベルも大きくなってきている。そのようなＡＤ変換回路を図４に示す。
【０００４】
色差入力の場合Ｙ信号がＡＤ変換器１１にＰｂ信号はＡＤ変換器１２にＰｒ信号はＡＤ変換器１３に入力される。Ｓ入力時はＹ信号がＡＤ変換器１１にＣ信号がＡＤ変換器１２に入力される。コンポジット入力時はＶ（コンポジット信号）入力がＡＤ変換器１１に入力される。いずれの場合もＡＤ変換器１１、ＡＤ変換器１２およびＡＤ変換器１３は同期したクロックで常に動作する。従来デジタル回路のクロックによるＲＦ信号への妨害を軽減するためにクロックを変調して妨害周波数を分散させて妨害を目立たなくする方法（例えば特許文献１、特許文献２を参照）や、必要の無い回路の電源供給を止めて妨害を無くす方法（例えば、特許文献３を参照）が妨害発生源の対策方法として提案されているがＡＤ変換回路のクロック成分による妨害エネルギーの大きさに目をつけたＡＤ変換回路での特別な妨害対策はされていない。
【０００５】
現在のところＡＤ変換回路での妨害発生を抑える対策としてはＡＤ部電源に電源ピン近くにＧＮＤ間に高周波特性の良いパスコンをつけるとかＡＤ部ＧＮＤを他のＧＮＤと高周波的に分離させるとかＡＤ変換回路で発生した妨害がなるべく外に広がらないようにする一般的なものであった。
【特許文献１】特開平１０−１４９１３６号公報
【特許文献２】特開平６−２４２８５１号公報
【特許文献３】特開平６−７８２３７号公報
【発明の開示】
【発明が解決しようとする課題】
【０００６】
前述したようにＡＤ変換回路で発生するクロックの妨害についてはなるべく妨害が伝播していかないように発生した妨害を遮断したり、伝播経路を分離したりする対策がなされているが、近年にはＡＤビット数の増加によるＡＤ変換回路妨害エネルギーの増大や、受信機の小型化による妨害発生源と妨害受信部との近接・低コスト化による高価な妨害対策部品削除等で妨害対策が困難になり、大きな開発パワーを要するようになっている。
【０００７】
そこで、ＡＤビット数の増加や受信機の小型化、低コスト化にも対応でき、なおかつ容易に妨害問題が解消されるように、ＡＤ変換回路で発生する妨害エネルギーを元から減らす対策を行うことが課題であった。
【課題を解決するための手段】
【０００８】
本発明のＡＤ変換回路は、色差信号まで対応しているＡＤ変換回路においてサンプリングクロックが同期した複数の映像信号のためのＡＤ変換器と、そのAD変換器を動作させたり止めたりすることができるコントロール部により構成され、映像信号の種類に応じてコントロール部が必要の無いＡＤ変換器の動作を個別に止めることにより、ＡＤクロック動作により発生する妨害を低減させると同時に省エネルギーも行うものである。
【０００９】
また、本発明のＡＤ変換回路は、色差信号まで対応しているＡＤ変換回路においてサンプリングクロックが同期した複数の映像信号のためのＡＤ変換器と、それらを動作させたり止めたりすることができるマイコン部により構成され、ＡＤ変換する映像信号の種類をユーザー操作によりマイコンが判断し、マイコンが必要の無いＡＤ変換器の動作を個別に止めることにより、ＡＤクロック動作により発生する妨害を低減させると同時に省エネルギーも行うものである。
【００１０】
また、本発明のＡＤ変換回路は、色差信号まで対応しているＡＤ変換回路においてサンプリングクロックが同期した複数の映像信号のためのＡＤ変換器と、これらのＡＤ変換器からのＡＤ変換データにより映像信号の種類を判断したり、ＡＤ変換器を動作させたり止めたりすることができる信号判別およびコントロール部により構成され、ＡＤ変換する映像信号の種類をＡＤ変換したデータにより信号判別およびコントロール部が判断し、信号判別およびコントロール部が必要の無いＡＤ変換器の動作を個別に止めることにより、ＡＤクロック動作により発生する妨害を低減させると同時に省エネルギーも行うものである。
【発明の効果】
【００１１】
本発明によるＡＤ変換回路を備えたアナログ地上波受信機はアナログ地上波を受信してその映像をＡＤ変換する回路においてＡＤ変換回路が発生する妨害が従来と比較して小さいのでＲＦ信号に与える妨害の影響が少ない。
【００１２】
また、筐体輻射でＡＤ変換回路が発生している妨害があれば、そのレベルも下がる。従って容易に低コストで妨害の少ない映像機器を提供することができる。なおかつ不必要な回路動作を停止するため映像機器の省エネルギー化にも貢献することができる。
【発明を実施するための最良の形態】
【００１３】
発明を実施するための最良の形態について図面を用いて説明する。
【００１４】
（実施の形態１）
本発明によるＡＤ変換回路は、図１に示すようにＡＤ変換器２１、ＡＤ変換器２２、ＡＤ変換器２３およびコントロール部２４で構成されている。ＡＤ変換器２１、ＡＤ変換器２２、ＡＤ変換器２３は図に示すように同期したサンプリングクロックで動作するようになっているが、それぞれコントロール部２４により個別に動作させたり動作を止めたりすることができる。
【００１５】
ＡＤ変換する映像信号が色差入力の場合は、ＡＤ変換器２１でＹ（輝度）信号のＡＤ変換を行い、ＡＤ変換器２２でＰｂ（青色差）信号のＡＤ変換を行い、ＡＤ変換器２３でＰｒ（赤色差）信号のＡＤ変換を行うので、コントロール部２４からは全てのＡＤ変換器に動作するようコントロール信号が送られる。
【００１６】
ＡＤ変換する映像信号がＳ入力の場合は、ＡＤ変換器２１でＹ（輝度）信号のＡＤ変換を行い、ＡＤ変換器２２でＣ（色信号）信号のＡＤ変換を行うので、コントロール部２４からはＡＤ変換器２１、ＡＤ変換器２２には動作するようにコントロール信号が送られ、ＡＤ変換器２３には動作を停止するコントロール信号が送られる。
【００１７】
ＡＤ変換する映像信号がコンポジット入力の場合は、ＡＤ変換器２１でＶ（コンポジット）信号のＡＤ変換を行うので、コントロール部２４からはＡＤ変換器２１には動作するようにコントロール信号が送られ、ＡＤ変換器２２、ＡＤ変換器２３には動作を停止するコントロール信号が送られる。
【００１８】
このように本実施の形態のAD変換回路においては、ＡＤ変換器の動作をコントロールすることにより、Ｓ入力時はＡＤ変換器２３で発生するクロックの妨害成分および電力が減らされ、コンポジット入力時はＡＤ変換器２２、ＡＤ変換器２３で発生するクロックの妨害成分および電力が減らされる。
【００１９】
なお、本実施の形態では、コントロール部２４を制御する信号については言及していないが、例えば、入力された映像信号を検出して信号の種類を判断し、その結果に応じたコントロール信号を、AD変換器２１、AD変換器２２、AD変換器２３に送り、それらの動作を制御するものであってもよい。
【００２０】
アナログ地上波放送受信時は特殊な場合を除いてはＡＤ変換する映像信号はコンポジット信号であるので上述の如くＡＤ変換回路で発生するＡＤクロックの妨害を発生源から減らすことができる。
【００２１】
（実施の形態２）
本発明の第２の実施の形態を図２を用いて説明する。
【００２２】
ＡＤ変換器３１、ＡＤ変換器３２、ＡＤ変換器３３およびマイコン３４で構成されている。ＡＤ変換器３１、ＡＤ変換器３２、ＡＤ変換器３３は図に示すように同期したサンプリングクロックで動作するようになっているが、それぞれマイコン３４により個別に動作させたり動作を止めたりすることができる。
【００２３】
マイコン３４にはユーザーからの操作情報が伝達され、現在どの種類の映像信号がＡＤ変換回路に接続されているかの情報をマイコンは得ることが出来る。その情報に従って例えばデジタル入力でＡＤ変換回路を全く使用しないのなら、ＡＤ変換器３１、ＡＤ変換器３２、ＡＤ変換器３３の全ての動作を停止させる。
【００２４】
またアナログ地上波入力なら、ＡＤ変換器３１でＶ（コンポジット）信号のＡＤ変換を行うので、マイコン３４からはＡＤ変換器３１には動作するようにコントロール信号が送られ、ＡＤ変換器３２、ＡＤ変換器３３には動作を停止するコントロール信号が送られる。  
【００２５】
以上のように状況に合わせて動作不要のＡＤ変換器を停止するコントロールを行うことにより、ＡＤ変換部で発生するクロック妨害レベルを最小に抑える。
【００２６】
（実施の形態３）
次に本発明の第３の実施の形態例を、図３を用いて説明する。
【００２７】
ＡＤ変換器４１、ＡＤ変換器４２、ＡＤ変換器４３、および信号判別およびコントロール部４４で構成されている。ＡＤ変換器４１、ＡＤ変換器４２、ＡＤ変換器４３は図に示すように同期したサンプリングクロックで動作するようになっているが、それぞれ信号判別およびコントロール部４４により、個別に動作させたり動作を止めたりすることができる。
【００２８】
信号判別およびコントロール部４４には、各ＡＤ変換器からの映像信号情報が伝達され、現在どの種類の映像信号がＡＤ変換器に入力されているか、映像信号判別およびコントロール部４４は判別することが出来る。例えば、初期状態はＡＤ変換器４１のみ動作させて、その映像信号情報からバーストが有ればＡＤ変換器４１は入力されている映像信号の種類がコンポジット信号と判別し、もし無ければＡＤ変換器４２も動作させる。ＡＤ変換器４２の映像信号情報からバーストが有ればＳ入力と判別し、無ければ色差入力と判別するといった具合である。
【００２９】
その判別結果に従ってアナログ地上波入力ならＡＤ変換器４１でＶ（コンポジット）信号のＡＤ変換を行うので信号判別およびコントロール部４４からはＡＤ変換器４１には動作するようなコントロール信号が送られ、ＡＤ変換器４２、ＡＤ変換器４３には動作を停止するコントロール信号が送られるといった具合に状況に合わせて動作不要のＡＤ変換器を停止するコントロールを行うことにより、ＡＤ変換回路で発生するクロック妨害レベルを最小に抑える。
【産業上の利用可能性】
【００３０】
本発明にかかるＡＤ変換回路は、アナログ地上波受信機などに搭載され、映像信号のＡＤ変換を行う際に発生するＡＤ変換クロックの高調波によるＲＦへの妨害の発生が少なくビート等の妨害がより少ない美しい映像信号を得ることができるという効果を有し、テレビジョン受像機、またPDP、液晶などの画像表示装置等の用途にも適用できる。
【図面の簡単な説明】
【００３１】
【図１】本発明のＡＤ変換回路における第１の実施の形態を示す図
【図２】本発明のＡＤ変換回路における第２の実施の形態を示す図
【図３】本発明のＡＤ変換回路における第３の実施の形態を示す図
【図４】従来のＡＤ変換回路の構成例を示す図
【符号の説明】
【００３２】
１１、１２、１３    ＡＤ変換器
２１、２２、２３    ＡＤ変換器
２４    コントロール部
３１、３２、３３    ＡＤ変換器
３４    マイコン
４１、４２、４３    ＡＤ変換器
４４    信号判別およびコントロール部
【図１】
2005210250.tif 000003
【図２】
2005210250.tif 000004
【図３】
2005210250.tif 000005
【図４】
2005210250.tif 000006